(57)【要約】    【課題】    本発明は、上記課題を解決するために、性フェロモン等の難揮発性物質を簡便に大気中に必要な濃度で散布し得る性フェロモンの散布方法及びそれを用いた害虫の防除方法を提供することを目的としている。    【解決手段】  例えば性フェロモン等の液状の難揮発性物質と、当該難揮発性物質よりも揮発性の高い溶媒と、を含む難揮発性物質含有組成物を液滴吐出装置を用いて吐出する難揮発性物質の散布方法により、上記課題を解決する。【選択図】    図１
2005247814.tif 000002
【特許請求の範囲】
【請求項１】
液状の難揮発性物質と当該難揮発性物質よりも揮発性の高い溶媒とを含む難揮発性物質含有組成物を液滴吐出装置を用いて吐出することを特徴とする難揮発性物質の散布方法。
【請求項２】
性フェロモン物質と当該性フェロモン物質よりも揮発性の高い溶媒とを含む性フェロモン含有組成物を液滴吐出装置を用いて吐出することを特徴とする性フェロモン物質の散布方法。
【請求項３】
前記性フェロモン物質と前記溶媒との飽和蒸気圧の差が１０倍以上である、請求項２に記載の散布方法。
【請求項４】
前記溶媒が、エタノール、アセトン又はヘキサンである、請求項２乃至４のいずれかに記載の散布方法。
【請求項５】
前記性フェロモン物質と前記溶媒との混合比率を、前記液滴吐出装置により吐出された性フェロモン含有組成物から構成される液滴が所定距離飛行した際の当該液滴の粒径が１００μｍ以下となるように調整する、請求項２乃至４のいずれかに記載の散布方法。
【請求項６】
請求項２乃至５のいずれかに記載の散布方法を用いたことを特徴とする害虫防除方法。
【請求項７】
性フェロモン物質と当該性フェロモン物質よりも揮発性の高い溶媒とを含む性フェロモン含有組成物を吐出液体として含む液体収容部と、
前記液体収容部から供給される液体を吐出する吐出手段と、
を含むことを特徴とする性フェロモン吐出装置。
【発明の詳細な説明】
【技術分野】
【０００１】
本発明は、液滴吐出装置を用いた液体の散布方法に関し、詳しくは、液滴吐出装置を用いて性フェロモン物質を散布した際に、性フェロモン物質の蒸散速度を高めることが可能な散布方法及びそれを利用した害虫防除方法に関する。
【背景技術】
【０００２】
近年、環境保護等の観点から、農薬に代わる代替物質又は農薬と併用し、農薬の使用量を低減し得る害虫防除物質として性フェロモン製剤が注目されている。
【０００３】
性フェロモンは、動物が他の個体に働きかけるために対外に分泌する化学物質であり、交尾活動に使用される。性フェロモン製剤は、この性フェロモンを利用して、害虫の交尾活動を攪乱し、次世代の害虫の発生を抑制させて、農作物の害虫による被害を軽減しようとするものである。
【０００４】
性フェロモンの散布方法としては、例えば、特公平７−８０７２３号公報（特許文献１）に、ポリエチレン等のチューブに細孔を開けたディスペンサを用い、このディスペンサの細孔から性フェロモンを自然放散により放出する方法が開示されている。
【０００５】
また、例えば、米国特許第６１８２９０４号明細書（特許文献２）には、性フェロモンをエアロゾル噴霧方式の噴霧容器に詰めて、バルブニードルをソレノイド等で押圧することにより、必要時刻に噴霧する方法が開示されている。
【特許文献１】特公平７−８０７２３号公報
【特許文献２】米国特許第６１８２９０４号明細書
【発明の開示】
【発明が解決しようとする課題】
【０００６】
しかしながら、特許文献１の方法は、チューブからの自然放出を利用しているため、交信攪乱に有効な夜間のみならず昼間も放出されてしまうので、性フェロモンの多くが浪費されていた。また、交信攪乱に有効な濃度の性フェロモンを大気中に放出するためには、多くのディスペンサを設置する必要があり、設置に多くの労力を要した。
【０００７】
また、特許文献２の方法では、内容物を噴出させるために加圧ガスが使用されており、使用後の容器の回収や加圧ガスの処理等の点で問題があった。また、加圧ガスを使用するため、使用温度や容器の取扱いに注意を要した。
【０００８】
本発明は、上記課題を解決するために、性フェロモン等の難揮発性物質を簡便に大気中に必要な濃度で散布し得る性フェロモンの散布方法及びそれを用いた害虫の防除方法を提供することを目的としている。
【課題を解決するための手段】
【０００９】
本発明は、上記課題を解決するために、液状の難揮発性物質と当該難揮発性物質よりも揮発性の高い溶媒とを含む難揮発性物質含有組成物を液滴吐出装置を用いて吐出する難揮発性物質の散布方法を提供するものである。
【００１０】
本発明によれば、自然放散ではなく、液滴吐出装置を用いているので、必要な時間に所望量の難揮発性物質を散布し得る。また、エアロゾル噴霧方式を利用した場合の、加圧ガスの処理、取扱い上の注意等の不都合も生じない。さらに、大きい液滴を吐出した場合、滞空時間が短く、性フェロモンからなる液滴が気化する前に地上に到達してしまい、散布する性フェロモンの量に比較して、利用し得る性フェロモンの量の効率が良好とはいえない。しかしながら、本発明によれば、難揮発性物質と当該物質よりも揮発性の高い溶媒とを含む難揮発性物質含有組成物を吐出することにより、大気中における難揮発性物質の早期小滴化を達成することが可能となる。これにより、難揮発性物質の滞空時間が延び、また比表面積の増加による蒸発速度の増加も期待し得るので、大気中（空中）での難揮発性物質の蒸発（気化）を促進することが可能となる。
【００１１】
ここで、液状の難揮発性物質としては、例えば、飽和蒸気圧が５〜３０℃で約１×１０-2ｍｍＨｇ以下のものをいう。また、このような難揮発性物質には、難揮発性の性フェロモン物質が含まれる。
【００１２】
本発明の他の態様は、性フェロモン物質と当該性フェロモン物質よりも揮発性の高い溶媒とを含む性フェロモン含有組成物を液滴吐出装置を用いて吐出する性フェロモン物質の散布方法を提供するものである。
【００１３】
本発明によれば、自然放散ではなく、液滴吐出装置を用いているので、必要な時間に所望量の性フェロモン物質を散布し得る。また、性フェロモン物質と当該性フェロモン物質よりも揮発性の高い溶媒とを含む性フェロモン含有組成物を吐出することにより、大気中における性フェロモン物質の早期小滴化を達成することが可能となると考えられる。これにより、性フェロモン物質の滞空時間が延びるので、大気中（空中）での性フェロモン物質の蒸発（気化）を促進することが可能となり、性フェロモン物質の拡散性をより向上させることが可能となる。
【００１４】
前記性フェロモン物質と、前記溶媒との飽和蒸気圧の差が、約１０倍以上であることが好ましい。これによれば、フェロモン物質と溶媒との飽和蒸気圧の差が大きいので、溶媒をより早く蒸発させ、粒径が小さくなった性フェロモン物質をより長い時間大気中に浮遊させることにより、地上に到達する前により多くの性フェロモン物質を蒸発することが可能となる。これにより、より効率よく性フェロモン物質を拡散し得ると考えられる。
【００１５】
前記溶媒の飽和蒸気圧が、５〜３０℃において、０．１ｍｍＨｇ以上であることが好ましい。吐出液滴の量は微少量であるので、飽和蒸気圧の値が上記値であれば、液滴の吐出と同時に溶媒のみが早期に蒸散すると考えられ、液滴が非常に小さくなるので大気中における性フェロモン物質からなる液滴の滞空時間をより長くすることが可能となる。
【００１６】
前記性フェロモン物質としては、例えばＺ−１１−ヘキサデセニルアセテート及び／又はＺ−１１−ヘキサデセナールが用いられる。このような性フェロモン物質は、例えばコナガなどの交信攪乱を利用した害虫の防除に好適に使用し得る。
【００１７】
前記溶媒としては、具体的には、エタノール、アセトン、ヘキサン等を用いることができるが、環境に優しいという観点から特にエタノールであることが好ましい。
【００１８】
前記性フェロモン物質と前記溶媒との混合比率は、温度、風向、風速、湿度、液滴吐出装置の設置位置等によって好適な範囲が異なるため、特に限定するものではないが、例えば、前記液滴吐出装置により吐出された性フェロモン含有組成物から構成される液滴が所定距離飛行した際の当該液滴の粒径が１００μｍ以下、好ましくは１０μｍ以下となるように調整することが好ましい。
【００１９】
これによれば、性フェロモン物質と溶媒との混合比率を上記範囲とすることで、所望高さにおいて、大気中で一般に浮遊し得るといわれている液体粒子の粒径とほぼ同等若しくはそれよりも小さくすることが可能となる。よって、性フェロモンを充満させたい所定高さにおいて、性フェロモンを浮遊させることが可能となるので、性フェロモンを含む液滴が地上に到達する前により多くの性フェロモンを気化することが可能となる。よって、この方法を例えば害虫防除に利用した場合には、より高い防除効果を期待し得る。
【００２０】
本発明の害虫防除方法は、上記の散布方法を用いたことを特徴としている。よって、簡便に、効率よく性フェロモンを散布し得るので、効果的に害虫を防除し得る。
【００２１】
本発明の性フェロモン吐出装置は、性フェロモン物質と当該性フェロモン物質よりも揮発性の高い溶媒とを含む性フェロモン含有組成物を吐出液として含む液体収容部と、前記液体収容部から供給される液体を吐出する吐出手段と、を含む性フェロモン吐出装置である。
【００２２】
本発明の性フェロモン吐出装置は、吐出液として、性フェロモン物質と当該性フェロモン物質よりも揮発性の高い溶媒とを含む性フェロモン含有組成物を含むので、上記散布方法に好適に使用することができる。したがって、本発明の性フェロモン吐出装置によれば、従来のノズル孔径の制御のみでは困難だった、大気中における性フェロモン物質の早期小滴化を達成することが可能となる。これにより、性フェロモン物質の滞空時間が延びるので、大気中における性フェロモン物質の蒸発（気化）を促進することが可能となり、性フェロモン物質の拡散性をより向上させることが可能となる。
【００２３】
なお、液滴吐出手段としては、静電駆動方式、圧電駆動方式、又はバブルジェット（登録商標）方式（サーマル方式）のいずれであってもよい。但し、熱的影響を受けやすい性フェロモン物質を用いる場合には、静電駆動方式又は圧電駆動方式が好ましい。
【発明を実施するための最良の形態】
【００２４】
本実施形態の性フェロモン物質の散布方法について、図面を参照しながら説明する。なお、本実施形態の性フェロモン物質の散布方法は、難揮発性物質の散布方法の一例にも該当する。
【００２５】
本実施形態の性フェロモン物質の散布方法は、性フェロモン物質と当該性フェロモン物質よりも揮発性の高い溶媒とを含む性フェロモン含有組成物を、液滴吐出装置を用いて吐出することにより行われる。
【００２６】
本実施形態で用いられる性フェロモン物質としては、害虫の交信攪乱作用を有する物質が好ましく、液滴吐出装置により吐出し得るものであれば特に限定されない。このような性フェロモン物質としては、例えば、Ｚ−１１−ヘキサデセニルアセテート、Ｚ−１１−ヘキサデセナール、Ｚ−ドデセニルアセテート等の不飽和二重結合を有する高級脂肪族性フェロモン化合物（例：炭素数１０〜２０）などが挙げられる。これらの性フェロモン化合物は、１種又は２種以上を組み合わせて用いることができる。
【００２７】
また、このような性フェロモン物質よりも揮発性の高い溶媒としては、特に限定されるものではなく、性フェロモン含有組成物に使用する任意の性フェロモン物質のうち少なくとも一の性フェロモン物質よりも揮発性の高い溶媒であればよい。好ましくは、使用する全ての性フェロモン含有組成物よりも揮発性の高い溶媒であることが望ましい。
【００２８】
また、このような溶媒としては、例えば、任意の性フェロモン物質との飽和蒸気圧の差が１０倍以上、好ましくは１００倍以上であることが望ましい。これによれば、溶媒を先に蒸発させ、粒径が小さくなった性フェロモン物質を大気中に浮遊させながら蒸発することが可能となる。
【００２９】
また、前記溶媒の飽和蒸気圧が、５〜３０℃において、０．１ｍｍＨｇ以上であることが好ましい。性フェロモン物質の飽和蒸気圧は、例えばＺ−１１−ヘキサデセニルアセテート（蒸気圧（２５℃）：３．８５×１０-5ｍｍＨｇ）、Ｚ−１１−ヘキサデセナール（蒸気圧（２５℃）：１．２×１０-3ｍｍＨｇ）のように、殆どの性フェロモン物質において、５〜３０℃で１×１０-2〜１×１０-6ｍｍＨｇの範囲に入るので、溶媒の蒸気圧を上記範囲とすることで、溶媒を先に蒸発させ、粒径が小さくなった性フェロモン物質を大気中に浮遊させながら蒸発することが可能となると考えられる。また、吐出液滴の量は微少量であるので、液滴の吐出と同時に溶媒のみが先に瞬時に蒸散し、液滴が非常に小さくなるので大気中における滞空時間をより長くすることが可能となる。
【００３０】
具体的には、このような溶媒として、エタノール（蒸気圧（２０℃）：４４ｍｍＨｇ）、アセトン（蒸気圧（２０℃）：１８１．７ｍｍＨｇ）、ヘキサン（蒸気圧（２０℃）：１２１．２６ｍｍＨｇ）等を用いることができる。
【００３１】
また、例えば２０℃における飽和蒸気圧が１７ｍｍＨｇの水を用いて液滴吐出装置により吐出した場合、液滴は、吐出直後に瞬時に蒸発することが観測されている。したがって、水よりも飽和蒸気圧の高い液体（溶媒）については、更に早期に蒸発すると考えられ、吐出直後に小滴化が進み、より長い時間空中に留まることが可能となると考えられる。また、小滴化が進むことにより、液滴の比表面積が大きくなるので性フェロモン自体の蒸発もより促進されると考えられる。
【００３２】
すなわち、液滴を模式的に球として考えた場合、単位体積当たりの表面積（比表面積）Ｓｖは、下記式で表される。
【００３３】
Ｓｖ＝Ｓ／Ｖ＝６／Ｄ
（ここで、Ｄ：直径、Ｓ：球の表面積、Ｓ＝π・Ｄ2、Ｖ：球の体積、Ｖ＝（π／６）・Ｄ3を示す。）
微小液滴の蒸発速度は、必ずしもその比表面積のみに依存するものではないが、直径が小さくなることにより、比表面積が大きくなるのでより蒸発速度は速まると推測される。
【００３４】
性フェロモン物質と溶媒との混合比率は、温度、風向、風速、湿度、液滴吐出装置の設置位置等によって好適な範囲が異なるため、特に限定するものではない。例えば、液滴吐出装置により吐出された性フェロモン含有組成物から構成される液滴が所定距離飛行した際の当該液滴の粒径が１００μｍ以下、好ましくは１０μｍ以下となるように調整することが好ましい。
【００３５】
これによれば、性フェロモン物質と溶媒との混合比率を上記範囲とすることで、所定高さにおいて、大気中で一般に浮遊し得るといわれている液体粒子の粒径（ザウター平均粒径）とほぼ同等若しくはそれよりも小さくすることが可能となる。よって、性フェロモンを充満させたい所定高さにおいて、性フェロモンを浮遊させることが可能となるので、性フェロモンを含む液滴が地上に到達する前により多くの性フェロモンを気化することが可能となる。よって、この方法を例えば害虫防除に利用した場合には、より高い防除効果を期待し得る。
【００３６】
本発明の性フェロモン物質の散布方法には、例えば、下記の液滴吐出装置が用いられる。
【００３７】
図１は、本発明の散布方法に用いられる液滴吐出装置としての性フェロモン吐出装置の一例を示す図である。図１（ａ）は、性フェロモン吐出装置１の外観を示す図であり、図１（ｂ）は、性フェロモン吐出装置の内部構造を説明するための図である。
【００３８】
図１（ａ）に示すように、性フェロモン吐出装置１は、前面部に開閉可能な蓋体２と、操作パネル３を備えている。
【００３９】
また、図１（ｂ）に示すように、装置内部には、電源となる電池４を取り付けるための電池取付部５、駆動回路６、吐出液として上記性フェロモン含有組成物９を収容した液体収容部としてのタンク７、タンク７を取付けるためのタンク取付部８、及び、タンク７から供給される吐出液を外部に吐出するための吐出手段としての吐出ヘッド１０を備え、構成されている。
【００４０】
性フェロモン吐出装置１は、電池取付部５に取付けられた電池４から電力の供給を受け駆動される。なお、必ずしも電池で駆動させる必要はなく、例えば家庭用電源等を用いて駆動してもよい。
【００４１】
駆動回路６は、性フェロモン含有組成物９を吐出ヘッド１０から液滴として吐出するときの制御を行い、制御盤（図１（ｂ）において図示せず）等から構成されている。この駆動回路６は、例えば液滴を吐出する時間帯、所定時期（例：何月から何月）における液滴の吐出量等の制御を行う。この制御を行う制御条件は、駆動回路６にあらかじめＲＯＭ等でプリセットしておいてもよいが、例えば無線通信で駆動回路６に制御条件を送信するようにして適宜制御条件を変更できるようにしてもよい。
【００４２】
電池４及びタンク７は、性フェロモン吐出装置１の前面部に取付けられた蓋体２を外すことにより、交換可能とされている。また、タンク７と吐出ヘッド１０は、カートリッジとして一体に構成されていてもよく、また、吐出ヘッド１０が別体として性フェロモン吐出装置１本体に取付けられ、タンク７はこの吐出ヘッド１０に着脱自在に取付けられるよう構成されていてもよい。
【００４３】
図２は、性フェロモン吐出装置１に用いられるタンク７と吐出ヘッド１０の一例を示す図である。なお図２中、符号８は、タンク取付部の一部を示したものである。
【００４４】
図２に示すように、本例では、吐出ヘッド１０とタンク７が一体となり、カートリッジ１１を構成している。このカートリッジ１１のタンク７がタンク取付部８に取付けられている。タンク７の内部には、性フェロモン含有組成物９（図３において図示せず）が収容される。またタンク７は、例えば収容する性フェロモン含有組成物９に対して耐性のある可撓性のゴム材料からなる。
【００４５】
本実施形態の性フェロモン吐出装置１では、吐出ヘッド１０が駆動されることにより、外部に液滴が吐出されると、タンク７内に収容された吐出液が新たに吐出ヘッド１０に充填される。その際、タンク７が可撓性を有するゴム材料から構成されていると、タンク７には一旦変形した後、元に戻ろうとする復元力が働く。このタンク７の復元力を利用して、吐出ヘッド１０に一定の負圧をかけることにより、吐出ヘッド１０からの液漏れを防止することができる。タンク７を構成する可撓性を有するゴム材料としては、例えばフッ素ゴムが好適に用いられる。
【００４６】
吐出ヘッド１０としてはいわゆるインクジェット方式のものが用いられ、駆動方式は特に限定するものではなく、静電駆動、圧電駆動、バブルジェット（登録商標）（サーマル方式）であってもよい。但し、性フェロモン物質に熱の影響を及ぼさず、また、消費電力が低いという観点からは、静電駆動方式又は圧電駆動方式であることが好ましい。
【００４７】
図３は、吐出ヘッド１０の一例を説明する図である。
【００４８】
図３に示すように吐出ヘッド１０は、加圧室基板２１、電極基板２２及びカバーガラス２３を含み構成されている。
【００４９】
加圧室基板２１は、例えば単結晶シリコンからなり、エッチング等によって液体供給口２５、オリフィス２６、加圧室２７、ノズル穴２８となる凹部が形成されている。また、加圧室２７の底面部は振動板２９となっており、加圧室基板２１には電圧をかけるための共通電極３０が形成されている。
【００５０】
電極基板２２は例えばホウ珪酸ガラスからなり、エッチング等で形成された凹部にＩＴ
Ｏ等からなる個別電極３１及び配線３２が設けられている。
【００５１】
また、カバーガラス２３はホウ珪酸ガラス、単結晶シリコン等からなる。
【００５２】
図３に示す吐出ヘッド１０では、上述の性フェロモン含有組成物９が、タンク７から液体供給口２５及びオリフィス２６を介して、加圧室２７に供給される。図示しない外部電源から共通電極３０及び個別電極３１に電圧を付与すると、それにより生じる静電力により振動板２９は個別電極３１側に引き付けられ、電圧をオフにすると静電力が解除されて元の位置に戻ろうとする。このときに加圧室２７に付与される圧力によりノズル穴２８より数ピコリットル程度（例：約１００ｐｌ）の微小液滴が吐出されることになる。
【００５３】
図４は、液滴吐出装置としての性フェロモン吐出装置１を用いて性フェロモン含有組成物９を吐出する散布方法の一例を説明するための図である。
【００５４】
図４に示すように、例えば農地５１に複数の支柱５２が設置されており、それぞれの支柱５２の適当な高さの位置に性フェロモン吐出装置１が取付けられている。なお、このとき１本の支柱５２に複数の液滴吐出装置１を取付けてもよい。
【００５５】
これらの性フェロモン吐出装置１からは、上述のような性フェロモン含有組成物が吐出される。これにより、性フェロモン含有組成物が性フェロモン吐出装置１から吐出され、空気中に散布されて所望の区画に拡散されるようになっている。
【００５６】
この際、性フェロモン含有組成物中の性フェロモン物質と溶媒の構成比率は、例えば、性フェロモン吐出装置１の設置位置と充満させたい高さ位置（例えば、農作物の高さ）とから性フェロモン含有組成物が充満させたい高さに到達するまでに飛行するであろう距離を算出し、溶媒の蒸発速度を計算することで求めてもよい。
【００５７】
図５は、性フェロモン含有組成物中の性フェロモン物質と溶媒の構成比率の設定の仕方の一例を説明するための図である。図５に示すように、例えば領域Ａに性フェロモン物質を拡散（充満）させたい場合において、例えば、性フェロモン吐出装置１を高さＨに設置した場合には、液滴の飛行距離Ｘは、風向き、風速等によっても異なるが、吐出角がθであるとき、（Ｈ−ｈ1）／ｃｏｓθ＜Ｘ＜（Ｈ−ｈ2）／ｃｏｓθであると想定され、この飛行距離Ｘを移動する間の溶媒及びフェロモン物質の蒸発速度から求められる。
【００５８】
このような性フェロモン物質の散布方法を利用することで、害虫の交尾活動を阻害することが可能となるので、このような性フェロモン物質の散布方法は例えば害虫の防除方法等に好適に用いられる。また、本発明の防除方法は、他の害虫の防除方法と併用してもよい。
【００５９】
本発明によれば、自然放散ではなく、液滴吐出装置を用いているので、必要な時間に所望量の難揮発性物質を散布し得る。また、難揮発性物質と当該物質よりも揮発性の高い溶媒とを含む難揮発性物質含有組成物を吐出することにより、液滴吐出装置のノズル孔径の制御のみでは困難だった、大気中における難揮発性物質の早期小滴化を達成することが可能となる。これにより、難揮発性物質の滞空時間が延びるので、大気中（空中）での難揮発性物質の蒸発（気化）を促進することが可能となる。
【００６０】
また、タンク７が交換可能であるので、従来のエアロゾル噴霧タイプのように噴霧缶の廃棄処理に関する問題もない。また、液滴吐出装置により吐出することで、液滴の大きさを全て均一にすることができ、全ての吐出液について同様に小滴化することが可能となる。これに対し、エアロゾル噴霧タイプでは、吐出液の大きさにバラツキが生じるので、一部に大きさの大きな液滴が生じてしまう。この場合には、全ての液滴に対して、滞空時間を一様に延ばすことはできず、一部の液滴については効果的に性フェロモン物質の蒸発が促進される前に地上まで到達してしまうものと考えられる。しかし、本発明によれば、全ての吐出液について液滴の大きさを制御し得るので、より効率よく性フェロモン物質の散布が可能となると考えられる。なお、性フェロモン物質を溶媒で希釈することにより、粘度調整をすることが可能となり、液滴吐出装置からの吐出性を向上させることも可能となる。
（試験例）
撥液処理をしたシリコン基板上に、ノズル径５０μｍのインクジェットヘッドを用いて約９０ｐｌの試料溶液を吐出し、時間経過による吐出スポットの大きさを観察し、乾燥（蒸発）時間を求めた。
【００６１】
試料溶液としては、ドデシルアセテートをエタノールで２５％、５０％に希釈したものを用いた。また、比較例として、ドデシルアセテート１００％のものを用いた。
【００６２】
結果を図６に示す。図６は、吐出液の乾燥時間と希釈濃度との関係を説明するためのグラフである。図６中、縦軸は液滴の大きさを示し、横軸は放置時間（乾燥までの時間）を示している。なお、図６中のデータは、着弾時の液滴サイズが異なるため、着弾時の液滴の大きさを基準として規格化したものを示す。また、液滴の大きさは約０．１で変化しなくなったが、これは試料溶液中に含まれる不純物によるものと考えられ、この時点で乾燥は終了したものとみなした。
【００６３】
図６に示されるように、ドデシルアセテート１００％のものでは乾燥までに約１２０分かかったのに対し、２５％ドデシルアセテートのエタノール溶液では約６０分、５０％ドデシルアセテートのエタノール溶液では約８０分と、溶液中に含まれるドデシルアセテート濃度に応じて早く蒸発していることがわかる。
【００６４】
大気中に浮遊している状態とシリコン基板上に吐出した場合とでは条件が異なり、また溶媒及び性フェロモンの蒸発速度の変化によっても異なるが、大気中に吐出した場合においても１００％のものと比較して早く小滴化するものと予想される。よって、液滴が空中に留まる時間が長くなり、気化の時間を確保し得るので、地上に到達するまでにより多くの性フェロモン物質を拡散することが可能となるものと考えられる。また、小滴化により比表面積が大きくなるため、これによっても性フェロモン物質の早期気化が促進されるものと考えられる。
【図面の簡単な説明】
【００６５】
【図１】図１は、本発明の散布方法に用いられる液滴吐出装置としての性フェロモン吐出装置の一例を示す図である。
【図２】図２は、性フェロモン吐出装置１に用いられるタンク７と吐出ヘッド１０の一例を示す図である。
【図３】図３は、吐出ヘッド１０の一例を説明する図である。
【図４】図４は、液滴吐出装置としての性フェロモン吐出装置１を用いて性フェロモン含有組成物９を吐出する散布方法の一例を説明するための図である。
【図５】図５は、性フェロモン含有組成物中の性フェロモン物質と溶媒の構成比率の設定の仕方の一例を説明するための図である。
【図６】図６は、吐出液の乾燥時間と希釈濃度との関係を説明するためのグラフである。
【符号の説明】
【００６６】
１・・・液滴吐出装置（性フェロモン吐出装置）、２・・・蓋体、３・・・操作パネル、４・・・電池、５・・・電池取付部、６・・・駆動回路、７・・・タンク、８・・・タンク取付部、９・・・性フェロモン含有組成物、１０・・・吐出ヘッド、１１・・・カートリッジ、２１・・・加圧室基板、２２・・・電極基板、２３・・・カバーガラス、２５・・・液体供給口、２６・・・オリフィス、２７・・・加圧室、２８・・・ノズル穴、２９・・・振動板、３０・・・共通電極、３１・・・個別電極、３２・・・配線、５１・・・農地、５２・・・支柱
【図１】
2005247814.tif 000003
【図２】
2005247814.tif 000004
【図３】
2005247814.tif 000005
【図４】
2005247814.tif 000006
【図５】
2005247814.tif 000007
【図６】
2005247814.tif 000008